(57)【要約】【課題】薬液の詰まり防止を簡易な構造により低コストで実現可能となる生体組織接着剤塗布用具を提供する。【解決手段】生体組織接着剤塗布用具は、空間２ｓを内部に有するノズル本体２と、ノズル本体２の空間２ｓを通り、薬液を流通させる複数の薬液流通管３、４及び吐出パイプ２ｃｂと、を備える。ノズル本体２には、ガス注入部から空間２ｓ内に充填されたガスを噴射し、薬液流通管３、４の薬液吐出部２ｅから吐出される薬液を霧状に噴霧混合するガス噴出部２ｈが設けられている。薬液流通管３及び吐出パイプ２ｃｂは、ノズル本体２に設けられた薬液注入部であるシリンジ装着口２ｄとノズル本体２の先端に設けられた薬液吐出部２ｅとを連通している。薬液流通管３には、送気ガスがガス注入部から空間２ｓ内に導入されることによる外圧で収縮し、外圧が小さくなると復元するバルーン３ｃが設けられている。【選択図】図２
2018201726.tif 000002
【特許請求の範囲】
【請求項１】
内部に空間を有するノズル本体と、
該ノズル本体の内部の前記空間を通り、前記ノズル本体に設けられた薬液注入部と前記ノズル本体の先端に設けられた薬液吐出部とを連通して、薬液を流通させる複数の薬液流通路と、を備え、
前記ノズル本体には、
前記空間内にガスを充填するためのガス注入部と、
前記薬液吐出部の近傍にあり、前記ガス注入部から前記空間内に充填されたガスを噴射し、前記複数の薬液流通路の前記薬液吐出部から吐出される前記薬液を霧状に噴霧混合するガス噴出部と、が設けられており、
前記薬液流通路の少なくとも１つには、前記ガスが前記ガス注入部から前記空間内に導入されることによる外圧で収縮し、前記外圧が小さくなると復元する拡縮部が設けられていることを特徴とする生体組織接着剤塗布用具。
【請求項２】
前記複数の薬液流通路は、前記空間内に配設されており、
前記拡縮部は、前記空間内に配設された前記複数の薬液流通路のうち一部のみに設けられている請求項１に記載の生体組織接着剤塗布用具。
【請求項３】
前記拡縮部は、復元を促進する復元促進部を有し、
該復元促進部は、前記拡縮部の外面に形成された凸部である請求項１又は２に記載の生体組織接着剤塗布用具。
【請求項４】
前記拡縮部は、復元を促進する復元促進部を有し、
該復元促進部は、前記拡縮部の全周に亘って形成されている請求項１から３のいずれか一項に記載の生体組織接着剤塗布用具。
【請求項５】
前記拡縮部は、収縮を促進する収縮促進部を有し、
該収縮促進部は、前記拡縮部の外面に形成された凹部である請求項１から４のいずれか一項に記載の生体組織接着剤塗布用具。
【請求項６】
前記拡縮部は、収縮を促進する収縮促進部を有し、
該収縮促進部は、前記薬液注入部と前記薬液吐出部とに近接と離間とを繰り返すようにうねって形成された波形である請求項１から５のいずれか一項に記載の生体組織接着剤塗布用具。
【請求項７】
前記収縮促進部は、非周回状に形成されている請求項５又は６に記載の生体組織接着剤塗布用具。
【請求項８】
前記薬液流通路における前記拡縮部の遠位側に隣接する部分の流路断面積は、前記拡縮部の近位側に隣接する部分の流路断面積よりも小さい請求項１から７のいずれか一項に記載の生体組織接着剤塗布用具。
【請求項９】
前記薬液流通路における前記拡縮部よりも近位側には、前記拡縮部に向かう前記薬液の流通を抑制する抵抗部材が設けられている請求項１から８のいずれか一項に記載の生体組織接着剤塗布用具。
【発明の詳細な説明】
【技術分野】
【０００１】
本発明は、生体組織用の接着剤として機能する複数の薬液を混合させながら生体の患部に噴霧して塗布する生体組織接着剤塗布用具に関する。
【背景技術】
【０００２】
従来から、２つの薬液を混合させながら噴霧する生体組織接着剤塗布用具が流通している。生体組織接着剤塗布用具の薬液として、フィブリノゲン等を含み、粘度が高く凝固しやすいものを用いた場合等には、薬液が吐出されるノズルの先端近傍で乾燥により凝固することがある。また、他の薬液流通管を通る他の薬液と接触・混合して凝固することで、薬液の吐出の妨げとなることがあった。
【０００３】
特許文献１には、薬液が通る薬液流通管に切れ込みである連通口があり、薬液の吐出停止時に、連通口から高圧ガスが入るように構成された生体組織接着剤塗布用具が開示されている。この生体組織接着剤塗布用具は、薬液流通管内からその先端側にある残留薬液を高圧ガスにより排出させる構成を有する。
具体的には、薬液を薬液流通管に送り込むプランジャをシリンジに押し込むのを止めれば、連通口よりも先端側の薬液が、薬液流通管に入り込む高圧ガスにより薬液流通管から排出される。このため、薬液流通管に残留した薬液が他の薬液流通管の薬液と混じり合うことが抑制できるというものである。
そして、この生体組織接着剤塗布用具は、薬液流通管内の溶液に混入されたガスによる気泡が上流側に逆流するのを防止可能な逆止弁を備えている。この逆止弁によれば、薬液流通管の上流側に気泡が逆流するのを防止できる。この逆止弁により、薬液流通管の上流側において薬液に混入したガスの気泡が膨張することによって薬液流通管の先端側に押し出された薬液が他の薬液との接触・混合することによって凝固することを、好適に防止できるように構成されている。
【先行技術文献】
【特許文献】
【０００４】
【特許文献１】特開２０１２−１００８５１号公報
【発明の概要】
【発明が解決しようとする課題】
【０００５】
しかしながら、特許文献１の生体組織接着剤塗布用具は、薬液流通管の連通口から高圧ガスを導入して、連通口よりも先端側の薬液を排出する構成であるため、薬液噴霧のリスタートのためのプランジャの押し込みにギャップが生じることがあった。
具体的には、プランジャの押し込みを止めたときに薬液流通管の先端側の薬液が高圧ガスにより排出される。したがって、薬液と薬液流通管の先端部との間に薬液のない空間であるギャップが生じることとなる。このため、プランジャを更に押し込んで薬液を再度噴霧させる際には、薬液が薬液流通管の先端部に行き着くまでのプランジャの押し込みが余計に必要になっていた。
【０００６】
また、特許文献１の生体組織接着剤塗布用具は、薬液流通管内にガスを混入させる構成であるため、上記のように逆止弁を設ける必要があり、その取り付けのための手間とコストがかかっていた。このため、異なる方式により薬液の凝固を防止して薬液流通路の詰まりを防止することが、なお求められていた。
【０００７】
本発明は上記課題に鑑みてなされたものである。即ち、本発明は、薬液流通路の先端部における薬液の詰まり防止を簡易な構造により低コストで実現可能とし、薬液吐出停止後に薬液吐出をリスタートする際のプランジャ押し込み量のギャップを抑制して操作性を良好にすることを課題とする。
【課題を解決するための手段】
【０００８】
本発明の生体組織接着剤塗布用具は、内部に空間を有するノズル本体と、該ノズル本体の内部の前記空間を通り、前記ノズル本体に設けられた薬液注入部と前記ノズル本体の先端に設けられた薬液吐出部とを連通して、薬液を流通させる複数の薬液流通路と、を備え、前記ノズル本体には、前記空間内にガスを充填するためのガス注入部と、前記薬液吐出部の近傍にあり、前記ガス注入部から前記空間内に充填されたガスを噴射し、前記複数の薬液流通路の前記薬液吐出部から吐出される前記薬液を霧状に噴霧混合するガス噴出部と、が設けられており、前記薬液流通路の少なくとも１つには、前記ガスが前記ガス注入部から前記空間内に導入されることによる外圧で収縮し、前記外圧が小さくなると復元する拡縮部が設けられていることを特徴とする。
【発明の効果】
【０００９】
本発明の生体組織接着剤塗布用具は、薬液流通路の先端部における薬液の詰まり防止を簡易な構造により低コストで実現可能となる生体組織接着剤塗布用具を提供することが可能となる。
さらに、ノズル本体の内部の空間へのガスの供給量の調整による拡縮部の収縮・拡大によって薬液流通路内の薬液の位置を調整できるため、薬液の位置調整のために、薬液流通路内にガスを混入する必要がない。このため、薬液を薬液流通路の先端から引き込んだ状態である拡張部が拡大した状態からノズル本体の内部の空間にガスを供給したときには、拡張部が収縮して薬液が拡張部から薬液流通路の先端側に押し出される。このため、薬液流通路の先端と薬液との間にギャップを減らすことができる。よって、薬液噴霧をリスタートする際に、薬液をスムーズに吐出することができ操作性を良好にすることができる。
【図面の簡単な説明】
【００１０】
【図１】本実施形態に係る生体組織接着剤塗布用具を示す斜視図である。
【図２】図１のII-II断面を示す図であり、ノズル本体の断面図である。
【図３】バルーンを示す拡大図である。
【図４】図３のIV-IV断面を示す図であり、（ａ）は、収縮状態のバルーンの断面図であり、（ｂ）は、拡張状態のバルーンの断面図である。
【図５】第１変形例に係る薬液流通管のバルーン近傍を示す模式的な説明図である。
【図６】第２変形例に係る薬液流通管のバルーン近傍を示す模式的な説明図である。
【図７】第３変形例に係るバルーンを示す図であり、図４（ｂ）に対応する部分の断面を示す図である。
【図８】第４変形例に係るバルーンを示す図であり、図３に対応する部分を示す図である。
【発明を実施するための形態】
【００１１】
以下、本発明の生体組織接着剤塗布用具の実施形態を図面に基づいて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。また、以下において、生体組織接着剤塗布用具における薬液が吐出される側を前側又は遠位側、その逆側を後側又は近位側とし、それぞれ先端側、基端側ともいう。
【００１２】
＜全体構成について＞
本実施形態に係る生体組織接着剤塗布用具１の全体構成について図１及び図２を主に参照して説明する。図１は、生体組織接着剤塗布用具１を示す斜視図、図２は、図１のII-II断面を示す図であり、ノズル本体２の断面図である。
生体組織接着剤塗布用具１は、後述する複数の薬液を吐出した先で噴霧・混合して接着剤として生体内の臓器等に塗布する機能を有する。生体組織接着剤塗布用具１は、薬液を吐出する薬液吐出部２ｅを有するノズル本体２と、ノズル本体２の内部の空間２ｓを通り、薬液を流通させる複数の薬液流通路と、を備える。薬液流通路は、ノズル本体２に設けられた薬液注入部としてのシリンジ装着口２ｄとノズル本体２の先端に設けられた薬液吐出部２ｅとを連通するものである。
また、ノズル本体２には、異なる薬液をノズル本体２に導入するための２個ずつ設けられたプランジャ７及びシリンジ１７が取り付けられている。生体組織接着剤塗布用具１は、また２個のプランジャ７をシリンジ１７に同時に押し出すためのプランジャホルダ８を備える。プランジャホルダ８は、２個のプランジャ７の基端側に当接可能な大きさで形成されている。
【００１３】
そして、生体組織接着剤塗布用具１には、薬液を噴霧するための送気ガスを、ノズル本体２に導入する送気チューブ３１が接続されている。送気チューブ３１は、送気ガスの量を調整するレギュレータ３０に接続されており、ノズル本体２にエアフィルタ９を介して接続されている。具体的には、送気チューブ３１は、基端側に設けられたコネクタ３１ａによってレギュレータ３０に接続されており、先端側に設けられたコネクタ３１ｂによってエアフィルタ９の接続口９ａに接続されている。レギュレータ３０から供給されたガスをエアフィルタ９に通すことによって送気ガスからほこりや雑菌が除菌される。このため、生体内に噴出させる送気ガスとして衛生上好適となる。
【００１４】
エアフィルタ９を、ノズル本体２の近傍ではなく、レギュレータ３０の近傍に配設するようにしてもよい。このようにすれば、生体組織接着剤塗布用具１の周囲の部材が少なくなるため、生体組織接着剤塗布用具１の操作性を高めることができる。
【００１５】
＜ノズル本体周りの構成について＞
次に、ノズル本体２周りの構成について、図１及び図２を主に参照して説明する。ノズル本体２は、先細状に形成された先端側部材２ａと、先端側部材２ａの基端部に取り付けられる板状の基端側部材２ｂと、先端側部材２ａの先端部に内部側から取り付けられた吐出部材２ｃと、から主に構成されている。
【００１６】
先端側部材２ａには、図１に示すように、上方且つ後方に斜めに突出した部位が形成されており、その先に、ノズル本体２の内部の空間２ｓ内に送気ガスを充填するためのガス注入部２ｇが形成されている。送気ガスは、レギュレータ３０から送気チューブ３１、エアフィルタ９、ガス注入部２ｇを介してノズル本体２の内部の空間２ｓに導入・充填されることとなる。先端側部材２ａの先端部には、前後方向に貫通して、外部と内部の空間２ｓとを連通する挿通孔２ａａが形成されている。挿通孔２ａａは、後述する吐出パイプ２ｃｂを挿通するための貫通孔である。挿通孔２ａａの内径は、吐出パイプ２ｃｂの外径よりも大きく形成されている。そして、挿通孔２ａａは、空間２ｓに充填された送気ガスを、吐出パイプ２ｃｂの周囲から外部に噴出させるガス噴出部２ｈとして機能している。
なお、本実施形態に係る吐出パイプ２ｃｂは、薬液流通管３、４と別体のものであるが、このような構成に本発明は限定されず、一体的に形成されたものであってもよい。また、薬液流通管３、４と吐出パイプ２ｃｂとをまとめて本発明に係る薬液流通路ともいう。
【００１７】
基端側部材２ｂには、２つの部位が後方に突出しており、これらの部位の後端に、薬液注入部としてのシリンジ装着口２ｄが形成されている。この２つのシリンジ装着口２ｄのそれぞれにシリンジ１７が接続されている。基端側部材２ｂにおける２つのシリンジ装着口２ｄを通る薬液の流通路の前端側には、後述する薬液流通管３、４の基端部３ａ、４ａが接続されている。つまり、２本のシリンジ１７内にそれぞれ充填された薬液は、プランジャ７がシリンジ１７内に押し込まれることによって、シリンジ装着口２ｄを介してノズル本体２内の薬液流通管３、４を通ることとなる。
【００１８】
薬液流通管３、４は、ノズル本体２の内部の空間２ｓ内を通るように配設されており、混合対象である２種類の薬液を流通させるものである。本実施形態においては、薬液流通管３は、フィブリノゲン等を含み、粘度が高く凝固しやすい薬液１０（図４参照）を流通させるものである。薬液流通管４は、トロンビン等を含み、フィブリノゲン等に作用して、接着剤として機能させるための薬液を流通させるものである。
具体的な構成としては、薬液流通管３、４は、薬液が導入されるノズル本体２の基端側部材２ｂに設けられた２個のシリンジ装着口２ｄと、ノズル本体２の先端に設けられた後述する２本の吐出パイプ２ｃｂの薬液吐出部２ｅと、をそれぞれ連通している。そして、薬液流通管３には、送気ガスがガス注入部２ｇから空間２ｓ内に導入・充填されることによる外圧で収縮し、外圧が所定の値まで小さくなると復元する後述するバルーン３ｃが設けられている。
【００１９】
なお、下記において、薬液流通管３の一部に拡縮部としてのバルーン３ｃが設けられている構成を説明するが、本発明は、薬液流通管３の一部にのみ拡縮部が設けられる構成に限定されず、薬液流通管３が全体として拡縮するものを含むものである。例えば、薬液流通管３が全体としてエラストマー等の弾性素材からなる部材であってもよい。
【００２０】
また、図２に示すように、本実施形態に係るバルーン３ｃを有する薬液流通管３の内径は、薬液流通管４の内径よりも大きい。このように、薬液流通管３、４が形成されていることで、後述するようにバルーン３ｃが収縮した状態で、薬液流通管３内を流通する薬液１０（図４参照）の吐出量と、薬液流通管４内を流通する薬液の吐出量との差を縮めることができる。
なお、このように薬液流通管３、４の内径比を調整するのではなく、これらの内径を同じものとして、薬液流通管３、４を通る薬液の濃度を調整してもよい。また、言うまでもなく、接着剤として機能するために定まる混合比率によって薬液流通管３、４の内径比を変更してもよい。
【００２１】
吐出部材２ｃは、薬液流通管３、４からの薬液を吐出するための２本の吐出パイプ２ｃｂと、２本の吐出パイプ２ｃｂを保持する保持部材２ｃａとから構成されている。
２本の吐出パイプ２ｃｂは、先端側部材２ａの先端に形成された挿通孔２ａａを挿通して配設されている。
吐出パイプ２ｃｂの基端部には、薬液流通管３、４の先端部３ｂ、４ｂが接続されている。つまり、２本の薬液流通管３、４を通った薬液は、２本の吐出パイプ２ｃｂ内に導入されることとなる。
吐出パイプ２ｃｂの先端部は、薬液を外部に吐出する薬液吐出部２ｅである。つまり、挿通孔２ａａにおける吐出パイプ２ｃｂの周囲にあるガス噴出部２ｈが、２個の薬液吐出部２ｅの近傍にあることとなる。このため、ガス注入部２ｇから空間２ｓ内に充填された送気ガスがガス噴出部２ｈから外部に噴射されると、薬液流通管３、４の薬液吐出部２ｅから吐出される薬液を霧状に噴霧混合することとなる。
そして、薬液流通管３、４がノズル本体２の空間２ｓ内に配設されているため、空間２ｓ内からガス噴出部２ｈを通って噴出する送気ガスによって、薬液流通管３、４からそれぞれ吐出される薬液を略均等に噴霧混合できることとなる。
【００２２】
＜バルーンについて＞
次に、本実施形態に係る薬液流通管３に設けられた拡縮部としてのバルーン３ｃの構成及び機能について、図２に加えて、図３及び図４を主に参照して説明する。図３は、バルーン３ｃを示す拡大図、図４は、図３のIV-IV断面を示す図であり、図４（ａ）は、収縮状態のバルーン３ｃの断面図であり、図４（ｂ）は、拡張状態のバルーン３ｃの断面図である。
【００２３】
バルーン３ｃは、図４（ａ）に示す収縮状態においても薬液１０を通すことを可能としつつ、収縮状態から図４（ｂ）に示す拡張状態となることで、薬液吐出部２ｅからバルーン３ｃ側に薬液１０を引き戻す機能を有する。
具体的には、バルーン３ｃは、生体組織接着剤塗布用具１から薬液１０を噴霧するときには、空間２ｓ内の送気ガスの外圧によって収縮した状態においても薬液１０を通すことが可能なように、流路断面積Ａ１の内部空間を確保する構造を有する。換言すると、バルーン３ｃは、収縮した状態において、内面の一部が当接しつつ、完全な閉塞状態とならないように構成されている。その詳細な構成については後述する。なお、「流路断面積」とは、薬液１０の流れ方向に垂直な断面における薬液１０が流通可能な部分の断面積をいうものとする。
【００２４】
また、バルーン３ｃは、送気ガスの空間２ｓへの注入が止められて外圧が低くなることにより、弾性力による復元によって内部空間が大きくなるように拡張して自然状態である円筒状に戻り、流路断面積Ａ２を有するようになる。バルーン３ｃは、拡張して内部空間の体積が増加することによる圧力変動により、薬液流通管３に接続された吐出パイプ２ｃｂの吐出パイプ２ｃｂの先端部からバルーン３ｃ側に薬液１０を引き戻す機能を有する。
【００２５】
また、バルーン３ｃは、拡張状態において、薬液流通管３における他の部位と比較して、流路断面積が大きくなるように形成されている。このようにバルーン３ｃが形成されていることで、吐出パイプ２ｃｂの先端部から薬液１０を効果的にバルーン３ｃ側に引き込むことができ、隣接する薬液流通管４を通って薬液吐出部２ｅに残留する薬液と混合することを抑制することが可能となる。
また、本発明に係る拡縮部としては、本実施形態に係るバルーン３ｃのように、周囲よりも膨張するものが好適である。しかしながらこのような構成に限定されず、本発明に係る拡縮部は、全体として平坦に形成されているが、送気ガスから外圧が加わることによって収縮し、当該外圧が弱まることによって復元するものであってもよい。
【００２６】
バルーン３ｃは、収縮促進部としての波形凹部３ｃａを外面に有して、一部薄肉に形成されている。波形凹部３ｃａは、薬液流通管３の軸方向に並列して、全部で８箇所、後述するように対を成して形成されている。このように、波形凹部３ｃａが形成されてバルーン３ｃの一部が薄肉であることによって、当該部位が他の部位よりも送気ガスから加わる外圧によって潰れやすい。
また、波形凹部３ｃａが、バルーン３ｃの内面に形成されているのではなく、外面に形成されているので、バルーン３ｃの内側を通る薬液１０の円滑な流れの阻害となることを抑制できる。
この点で、バルーン３ｃの外面に波形凹部３ｃａが形成されていると好適であるが、本発明はこのような構成に限定されない。つまり、バルーン３ｃの収縮を他の部位よりも促進できればよく、その内面に凹部が形成されていてもよく、また、薄肉であれば凹部に限定されず、周囲よりも突出して形成されたものであってもよい。さらには、バルーン３ｃの一部のみが剛性の低い素材から形成されていてもよい。
【００２７】
また、本発明に係る収縮促進部は、送気ガスからの外圧によってバルーン３ｃを潰れやすくする機能を有すればよく、凹状の窪みからなるものに限定されない。例えば、バルーン３ｃの表面の一部に形成された切込みであってもよい。この切込みによれば、送気ガスからバルーン３ｃに加わる曲げ応力に対する反力を低減させることができるため、バルーン３ｃの収縮を促進できることとなる。
【００２８】
また、波形凹部３ｃａは、図２及び図３に示すように、非周回状に形成されて、周方向に延在しており、シリンジ装着口２ｄと薬液吐出部２ｅとに近接と離間とを繰り返すようにうねって形成されている。
具体的には、波形凹部３ｃａは、バルーン３ｃの外面のうち、図４に示すように、バルーン３ｃの軸線を含む面を中心として面対称の位置に対を成して形成されている。
そして、波形凹部３ｃａは、シリンジ装着口２ｄと薬液吐出部２ｅとに近接と離間とを繰り返すように、換言すると、バルーン３ｃの軸方向に交互に湾曲してずれるようにして、バルーン３ｃの周方向に延在している。
一方で、バルーン３ｃのうち、波形凹部３ｃａが形成されていない他の部位には、バルーン３ｃの収縮時に薬液１０の流通を完全には阻害しないように、軸方向に連続して形成されている部位がある。
【００２９】
バルーン３ｃが波形凹部３ｃａを備えることで、送気ガスからの外圧がバルーン３ｃに加わったときに、図４（ａ）に示すように、対を成す波形凹部３ｃａが変形して波形凹部３ｃａの位置に対応するバルーン３ｃの内面同士が当接する。
一方で、波形凹部３ｃａの他の部位が波形凹部３ｃａよりも比較的高い剛性を有することにより、これらの他の部位における内面同士は当接しないことで、内部に薬液１０の流路が確保することが可能となる。
このように波形凹部３ｃａが非周回状に形成されていることで、バルーン３ｃにおける潰れやすい部位と潰れにくい部位とが周回方向において局所的に設けられていることとなる。このため、図４（ａ）に示す、送気ガスが空間２ｓに充填されて薬液１０を噴霧している状態において、バルーン３ｃの内部を完全には閉塞しないことで、バルーン３ｃの内部を通る薬液１０の流れを阻害することを抑制できる。
【００３０】
また、波形凹部３ｃａがうねって形成されていることで、波形凹部３ｃａの周囲において、シリンジ装着口２ｄと薬液吐出部２ｅとを結ぶ方向に沿って、ガス注入部２ｇからガス噴出部２ｈに向かって流れる送気ガスの流れを阻害することを抑制できる。ここで、波形凹部３ｃａにおける、ガス噴出部２ｈ及び薬液吐出部２ｅに近接する側にある部位を頂部３ｃｂとする。本実施形態において頂部３ｃｂは、４つ設けられている。
バルーン３ｃの周囲を流れる送気ガスの一部は、波形凹部３ｃａの壁面に当接することで、頂部３ｃｂに集約しつつ、４つの頂部３ｃｂに分散して流れることとなる。このため、波形凹部３ｃａは、バルーン３ｃの周方向に直線的に凹部が形成されているものと比較して、送気ガスの流れを大きく分断することを抑制できる。このため、波形凹部３ｃａによれば、送気ガスの整流性を確保でき、ガス噴出部２ｈからの送気ガスの噴出方向に影響を与えることを抑制することができる。
【００３１】
一方で、本発明に係る収縮促進部としては、送気ガスの整流性を阻害しなければ、波形凹部３ｃａのように波形に形成された凹部を有するものに限定されない。例えば、バルーン３ｃに形成された収縮促進部は、薬液流通管３の軸方向に沿うように延在する凹部であってもよい。
【００３２】
生体組織接着剤塗布用具１から薬液を断続的に吐出させる際に、送気ガスの送気を止めて薬液の吐出を止めたときには、バルーン３ｃに加わる外圧が小さくなる。このため、バルーン３ｃの流路断面積Ａ１が流路断面積Ａ２となるまでバルーン３ｃが自然状態に戻るように復元して拡張し、その内部が負圧になる。このため、吐出パイプ２ｃｂ及び薬液流通管３の先端側の残留薬液１０がバルーン３ｃ側に戻り、吐出パイプ２ｃｂの先端部における薬液１０の詰まり防止を、逆止弁を用いずに簡易な構造により低コストで実現可能となる。
【００３３】
さらに、薬液の吐出を再開する際に、レギュレータ３０によって送気ガスを空間２ｓ内に注入（供給）すれば、バルーン３ｃに加わる外圧が大きくなることで、所定の大きさまでバルーン３ｃが収縮する。バルーン３ｃの収縮により薬液１０に加わる圧力によって、薬液１０は、バルーン３ｃの拡張前における吐出パイプ２ｃｂの先端部の位置までバルーン３ｃから押し出され、吐出パイプ２ｃｂの先端部と薬液１０との間のギャップが減ることとなる。このため、プランジャ７によって薬液１０の注入を再開すると、薬液１０がスムーズに薬液吐出部２ｅから吐出され、低圧噴霧によるリスタートが可能となり、操作性を良好となる。
【００３４】
また、薬液流通管３、４の双方にバルーン３ｃが設けられていてもよいが、薬液流通管３にのみバルーン３ｃを設けることによっても、他の薬液流通管４を通って薬液吐出部２ｅに残留する薬液と混合することを十分に抑制でき、コストを低減できる。
特に、粘度の高いフィブリノゲン等を含む薬液１０を流通させる薬液流通管３にバルーン３ｃが設けられていると好適である。このように構成されていれば、バルーン３ｃが拡張して薬液１０をバルーン３ｃ側に引き込んだ後に、薬液１０がその自重によって薬液吐出部２ｅ側に不意に戻ることを、薬液１０の粘性によって抑制することができる。また、薬液吐出部２ｅから外部に曝されることによる、フィブリノゲン等を含む薬液１０単体における凝固も抑制することができる。
【００３５】
また、バルーン３ｃは、薬液流通管３に一体的に形成されたものに限定されず、別体のものであってもよい。この場合、バルーン３ｃの材料よりも薬液流通管３の材料が硬質の材料からなるものであると好ましい。このような構成によれば、薬液流通管３内の薬液１０の流通を確保しつつ、バルーン３ｃの拡縮変形が好適に行われるようにできる。
【００３６】
（第１変形例）
次に、第１変形例に係る薬液流通管５について、図５を主に参照して説明する。図５は、第１変形例に係る薬液流通管５のバルーン３ｃ近傍を示す模式的な説明図である。
薬液流通管５は、バルーン３ｃが拡張したときに、薬液１０を吐出パイプ２ｃｂの先端部からバルーン３ｃ側に好適に引き込むことが可能な構成を有している。
具体的には、薬液流通管５におけるバルーン３ｃの遠位側に隣接する部分の内径がｄ１でありその流路断面積がＡ３である。一方で、薬液流通管５におけるバルーン３ｃの近位側に隣接する部分の内径は、ｄ１よりも長いｄ２であり、その流路断面積がＡ３よりも大きいＡ４である。
【００３７】
このような構成によれば、バルーン３ｃが拡張し、バルーン３ｃの遠位側と近位側とから略同量の薬液１０が引き込まれるときに、バルーン３ｃよりも遠位側からの薬液１０の引き込み長さを、近位側の薬液１０の引き込み長さよりも長くすることができる。したがって、薬液流通管５の薬液吐出部２ｅからの薬液１０の漏れ出しをより好適に抑制することができ、他の薬液流通管４を通って薬液吐出部２ｅに残留する薬液と混合することを抑制することができる。
【００３８】
（第２変形例）
次に、第２変形例に係る薬液流通管６について、図６を主に参照して説明する。図６は、第２変形例に係る薬液流通管６のバルーン３ｃ近傍を示す模式的な説明図である。
薬液流通管６は、第１変形例同様、バルーン３ｃが拡張したときに、薬液１０を吐出パイプ２ｃｂの先端部からバルーン３ｃ側に好適に引き込むことが可能な構成を有している。
具体的には、薬液流通管６おけるバルーン３ｃよりも近位側に、バルーン３ｃに向かう薬液１０の流通を抑制する抵抗部材としてのフィルタ６０が設けられている。そして、フィルタ６０は、薬液１０内の異物を除去する機能を有する。
【００３９】
このような構成によれば、バルーン３ｃが拡張したときに、バルーン３ｃの近位側よりも遠位側からの薬液１０が早く引き込まれ、近位側よりも遠位側から相対的に多い量の薬液１０がバルーン３ｃの拡張分の容積を満たすこととなる。このため、バルーン３ｃよりも遠位側からの薬液１０の引き込み長さを、近位側の薬液１０の引き込み長さよりも長くすることができる。
したがって、薬液流通管６の薬液吐出部２ｅからの薬液１０の漏れ出しをより好適に抑制することができ、他の薬液流通管４を通って薬液吐出部２ｅに残留する薬液と混合することを抑制することができる。さらに、バルーン３ｃよりも近位側にフィルタ６０が設けられていることで、バルーン３ｃ内に異物が蓄積することを抑制できるため、バルーン３ｃの拡縮動作に不具合が生じることを抑制することができる。
【００４０】
なお、本発明に係る抵抗部材は、バルーン３ｃの近位側における薬液１０の流通を抑制できれば、清浄機能を有するフィルタ６０に限られない。例えば、抵抗部材としては、薬液流通管６の近位側の内面に粗面加工が施されたものであり薬液１０のバルーン３ｃに向かう流れの抵抗となるものであってもよい。また、その他の抵抗部材としては、薬液１０の流れに対する、摩擦抵抗を生じさせる網状又は格子状の部材や圧力勾配を生じさせるオリフィス等が設けられていてもよい。
【００４１】
（第３変形例）
上記実施形態においては、バルーン３ｃが、その収縮を促進する波形凹部３ｃａを有するものを例に説明した。しかしながら、バルーン３ｃが十分な薄さで形成されていたり、柔軟な素材で形成されていることにより、送気ガスによる圧力によってバルーン３ｃの収縮が可能であれば、必ずしも波形凹部３ｃａは必須の構成ではない。
また、図７に示すように、他の観点に係る第３変形例に係るバルーン１３ｃは、復元を促進するための復元促進部としての波形凸部１３ｃａを備えるものである。図７は、第３変形例に係るバルーン１３ｃを示す図であり、図４（ｂ）に対応する部分の断面を示す図である。
【００４２】
拡縮部（バルーン１３ｃ）は、復元を促進する復元促進部（波形凸部１３ｃａ）を有する。復元促進部（波形凸部１３ｃａ）は、拡縮部（バルーン１３ｃ）の外面に形成された周囲の厚さよりも肉厚の凸部である。波形凸部１３ｃａは、波形に形成されている点では、波形凹部３ｃａ同様であるが、周囲よりも径方向外側に突出している点、及びバルーン１３ｃの全周に亘って形成される点で異なる。また、復元促進部として、例えば、波形凸部１３ｃａ以外に、バルーン１３ｃ内に金属ワイヤがインサート成形されているような構成であってよい。
つまり、断面積を大きくする（肉厚にする）とか、ヤング率を大きくするようにして、断面２次モーメントが大きくなるように復元促進部が構成されていれば、バルーン１３ｃの復元を促進することができる。
さらに例えば、波形凸部１３ｃａが周囲と同じ肉厚で形成された構成、換言すると、バルーン１３ｃの外面に沿って内面も凹凸が形成されている構成であってもよい。このような構成であっても、空間２ｓ内に充填された送気ガスによる圧力によってバルーン１３ｃが収縮した状態において、波形凸部１３ｃａの折れ曲がった夫々の部分に、自然状態である拡張状態に戻ろうとする内部応力が生じることとなる。このため、バルーン１３ｃの拡張状態への復元を促進できることとなる。
【００４３】
このように、バルーン１３ｃは、全体としては肉薄で弾力性があるので空間２ｓ内に充填された送気ガスから加わる圧力で潰される。一方で、バルーン１３ｃは、復元促進部としての波形凸部１３ｃａの形状復元力により、送気ガスの供給を止めたときに原型（自然状態）に戻りやすいという特徴を備える。このため、バルーン１３ｃによれば、薬液吐出部２ｅに残留する薬液１０を、バルーン１３ｃ側に引き込みやすくなる。
特に、バルーン１３ｃの一部の断面積が、波形凸部１３ｃａにより、バルーン１３ｃの全周に亘って連続して大きくなるため、バルーン１３ｃの径方向外側への復元力を高めることができる。
また、波形凸部１３ｃａは、上記実施形態に係る波形凹部３ｃａと同様に、波形に形成されていることで送気ガスの整流性を確保することができる。
【００４４】
（第４変形例）
第３変形例に係るバルーン１３ｃの波形凸部１３ｃａは波形に形成されていることで、送気ガスの整流性を確保することができる点で好適である。しかしながら、本発明に係る拡縮部は、このように形成されるものに限定されない。
図８に示すように、他の観点に係る第４変形例に係る拡縮部（バルーン２３ｃ）は、復元を促進する復元促進部としての側面視において直線的に形成された直線状凸部２３ｃａを有する。図８は、第４変形例に係るバルーン２３ｃを示す図であり、図３に対応する部分を示す図である。
復元促進部（直線状凸部２３ｃａ）は、拡縮部（バルーン２３ｃ）の全周に亘って形成されている。例えば、直線状凸部２３ｃａの高さが低いことや、直線状凸部２３ｃａの表面が面取り形状となっていることによって、バルーン２３ｃによる送気ガスの整流性への影響が問題とならないことがある。このような場合に、直線状凸部２３ｃａは、チューブ状に形成された薬液流通管３の一部であるバルーン２３ｃに、容易に形成できる形状であるため、製造効率を高めることができる点で有効である。
【００４５】
上記実施形態は、以下の技術思想を包含するものである。
（１）内部に空間を有するノズル本体と、
該ノズル本体の内部の前記空間を通り、前記ノズル本体に設けられた薬液注入部と前記ノズル本体の先端に設けられた薬液吐出部とを連通して、薬液を流通させる複数の薬液流通路と、を備え、
前記ノズル本体には、
前記空間内にガスを充填するためのガス注入部と、
前記薬液吐出部の近傍にあり、前記ガス注入部から前記空間内に充填されたガスを噴射し、前記複数の薬液流通路の前記薬液吐出部から吐出される前記薬液を霧状に噴霧混合するガス噴出部と、が設けられており、
前記薬液流通路の少なくとも１つには、前記ガスが前記ガス注入部から前記空間内に導入されることによる外圧で収縮し、前記外圧が小さくなると復元する拡縮部が設けられていることを特徴とする生体組織接着剤塗布用具。
（２）前記複数の薬液流通路は、前記空間内に配設されており、
前記拡縮部は、前記空間内に配設された前記複数の薬液流通路のうち一部のみに設けられている（１）に記載の生体組織接着剤塗布用具。
（３）前記拡縮部は、復元を促進する復元促進部を有し、
該復元促進部は、前記拡縮部の外面に形成された凸部である（１）又は（２）に記載の生体組織接着剤塗布用具。
（４）前記拡縮部は、復元を促進する復元促進部を有し、
該復元促進部は、前記拡縮部の全周に亘って形成されている（１）から（３）のいずれか一項に記載の生体組織接着剤塗布用具。
（５）前記拡縮部は、収縮を促進する収縮促進部を有し、
該収縮促進部は、前記拡縮部の外面に形成された凹部である（１）から（４）のいずれか一項に記載の生体組織接着剤塗布用具。
（６）前記拡縮部は、収縮を促進する収縮促進部を有し、
該収縮促進部は、前記薬液注入部と前記薬液吐出部とに近接と離間とを繰り返すようにうねって形成された波形である（１）から（５）のいずれか一項に記載の生体組織接着剤塗布用具。
（７）前記収縮促進部は、非周回状に形成されている（５）又は（６）に記載の生体組織接着剤塗布用具。
（８）前記薬液流通路における前記拡縮部の遠位側に隣接する部分の流路断面積は、前記拡縮部の近位側に隣接する部分の流路断面積よりも小さい（１）から（７）のいずれか一項に記載の生体組織接着剤塗布用具。
（９）前記薬液流通路における前記拡縮部よりも近位側には、前記拡縮部に向かう前記薬液の流通を抑制する抵抗部材が設けられている（１）から（８）のいずれか一項に記載の生体組織接着剤塗布用具。
【符号の説明】
【００４６】
１  生体組織接着剤塗布用具
２  ノズル本体
２ａ  先端側部材
２ａａ  挿通孔
２ｂ  基端側部材
２ｃ  吐出部材
２ｃａ  保持部材
２ｃｂ  吐出パイプ（薬液流通路）
２ｄ  シリンジ装着口（薬液注入部）
２ｅ  薬液吐出部
２ｇ  ガス注入部
２ｈ  ガス噴出部
２ｓ  空間
３、４、５、６  薬液流通管（薬液流通路）
３ａ、４ａ  基端部
３ｂ、４ｂ  先端部
３ｃ  バルーン（拡縮部）
３ｃａ  波形凹部（収縮促進部）
３ｃｂ  頂部
７  プランジャ
８  プランジャホルダ
９  エアフィルタ
９ａ  接続口
１０  薬液
１３ｃ  バルーン（拡縮部）
１３ｃａ  波形凸部（復元促進部）
１７  シリンジ
２３ｃ  バルーン（拡縮部）
２３ｃａ  直線状凸部（復元促進部）
３０  レギュレータ
３１  送気チューブ
３１ａ、３１ｂ  コネクタ
６０  フィルタ（抵抗部材）
【図１】
2018201726.tif 000003
【図２】
2018201726.tif 000004
【図３】
2018201726.tif 000005
【図４】
2018201726.tif 000006
【図５】
2018201726.tif 000007
【図６】
2018201726.tif 000008
【図７】
2018201726.tif 000009
【図８】
2018201726.tif 000010